(57)【特許請求の範囲】
【請求項１】
内部にシートの搬送路を有し、上記搬送路の一部を外部に露出可能な開口部を第１側面に有する筐体と、
上記筐体の下部に設けられた軸体と、
上記軸体が挿入される長孔を有しており、上記軸体を中心として、上記開口部を塞ぐ起立位置、及び上記開口部を開放する倒伏位置に回動可能なカバー部材と、
上記筐体から突出しており、上記筐体が載置された載置面と当接するものであり、上記起立位置から上記倒伏位置へ回動する上記カバー部材と当接する当接面を有し、回動を規制する規制部材と、を備えており、
上記当接面は、一端が当該一端よりも上記搬送路に近い他端より下方に位置するように水平方向に対して傾斜しており、
上記長孔は、上記カバー部材が上記当接面に当接した状態において、当該カバー部材の回動先端部が上記開口部から離れる向きへ上記カバー部材が移動することを許容するものであるシート搬送装置。
【請求項２】
内部にシートの搬送路を有し、上記搬送路の一部を外部に露出可能な開口部を第１側面に有する筐体と、
上記筐体の下部に設けられた軸体と、
上記軸体が挿入される長孔を有しており、上記軸体を中心として、上記開口部を塞ぐ起立位置、及び上記開口部を開放する倒伏位置に回動可能なカバー部材と、
上記筐体に設けられており、上記起立位置から上記倒伏位置へ回動する上記カバー部材と当接する当接面を有し、回動を規制する規制部材と、を備えており、
上記当接面は、一端が当該一端よりも上記搬送路に近い他端より下方に位置するように水平方向に対して傾斜しており、
上記長孔は、上記カバー部材が上記当接面に当接した状態において、当該カバー部材の回動先端部が上記開口部から離れる向きへ上記カバー部材が移動することを許容するものであり、
上記カバー部材は、上記搬送路においてシートをガイドするガイド面と、上記筐体の外面を構成する外面と、当該外面から突出しており上記規制部材の当接面に当接可能な突部と、を有するシート搬送装置。
【請求項３】
内部にシートの搬送路を有し、上記搬送路の一部を外部に露出可能な開口部を第１側面に有する筐体と、
上記筐体の下部に設けられた軸体と、
上記軸体が挿入される長孔を有しており、上記軸体を中心として、上記開口部を塞ぐ起立位置、及び上記開口部を開放する倒伏位置に回動可能なカバー部材と、
上記筐体に設けられており、上記起立位置から上記倒伏位置へ回動する上記カバー部材と当接する当接面を有し、回動を規制する規制部材と、を備えており、
上記当接面は、一端が当該一端よりも上記搬送路に近い他端より下方に位置するように水平方向に対して傾斜しており、
上記長孔は、上記カバー部材が上記当接面に当接した状態において、当該カバー部材の回動先端部が上記開口部から離れる向きへ上記カバー部材が移動することを許容するものであり、
上記筐体は、上記起立位置にある上記カバー部材と係合して当該カバー部材を上下方向に位置決めする位置決め部を有するシート搬送装置。
【請求項４】
上記筐体は、上記カバー部材が上記倒伏位置から上記起立位置へ回動される過程において、上記位置決め部と係合する上記カバー部材の係合部を上記位置決め部へ向かって上方へ案内する第１案内面を有する請求項３に記載のシート搬送装置。
【請求項５】
上記カバー部材の回動先端部は、上記カバー部材が上記倒伏位置から上記起立位置へ回動される過程において、上記筐体の上記開口部の上縁を区画する縁部と当接して、当該カバー部材を下方へ案内する第２案内面を有する請求項４に記載のシート搬送装置。
【請求項６】
上記筐体は、上記軸体の軸方向において離間されて相互に対向する第２側面及び第３側面を有しており、
上記軸体及び上記規制部材は、上記第２側面及び上記第３側面のそれぞれの下部に設けられている請求項１から５のいずれかに記載のシート搬送装置。
【請求項７】
上記長孔は、上記カバー部材が上記起立位置である状態において、上記軸体から上記回動先端部へ向かう方向に沿って長い請求項１から６のいずれかに記載のシート搬送装置。
【請求項８】
請求項１から７のいずれかに記載のシート搬送装置と、上記筐体の内部において上記搬送路を搬送されるシートに画像を記録する記録部と、を備える画像記録装置。
【発明の詳細な説明】
【技術分野】
【０００１】
本発明は、搬送路に沿ってシートを搬送するシート搬送装置、及び当該シート搬送装置を備えており、当該シート搬送装置によって搬送されるシートに画像を記録する画像記録装置に関する。
【背景技術】
【０００２】
内部にシートが搬送される搬送路を有するシート搬送装置が公知である。シート搬送装置は、プリンタや複合機などの画像記録装置に採用される。シート搬送装置を有する画像記録装置では、シート搬送装置によって搬送路を搬送されるシートに画像が記録される。
【０００３】
シート搬送装置において、内部に設けられた搬送路の一部を外部に露出させる開口が筐体に形成されることがあり、当該開口がカバー部材により開閉される。カバー部材は、筐体に対して回動可能に支持される。例えば、カバー部材は、起立位置において開口を封止し、倒伏位置において開口を開放する。例えば、カバー部材により開放された開口を通じて、搬送路に詰まったシートが取り出される。
【０００４】
筐体に対して回動可能なカバー部材が規制される構成が、特許文献１に開示されている。特許文献１の構成では、筐体に対してカバー部材が上方に開くようになっており、筐体には、カバー部材が所定範囲以上に開いた状態になることを規制するストッパーが設けられている。
【先行技術文献】
【特許文献】
【０００５】
【特許文献１】特開平５−６６６１９号公報
【発明の概要】
【発明が解決しようとする課題】
【０００６】
カバー部材が重力によって起立位置から倒伏位置へ回動される構成において、特許文献１のストッパーを採用すると、起立位置から倒伏位置へ回動されるカバー部材がストッパーによって規制される。しかし、この場合には、カバー部材がストッパーに当接することによって大きな衝突音が生じてユーザを驚かせるおそれがある。また、カバー部材がストッパーに衝突した衝撃によってカバー部材が破損するおそれがある。他方、カバー部材が開口に対して大きく開かれる方が、すなわち回動角度が大きい方が、開口を通じてシートを取り出す作業などが行いやすくなる。
【０００７】
本発明は、上記課題に鑑みてなされたものであり、その目的は、カバー部材が起立位置から倒伏位置へ回動される際に、大きな衝撃音が生じること、及び、カバー部材が破損することを抑制できるシート搬送装置を提供することにある。
【課題を解決するための手段】
【０００８】
(1)  本発明に係るシート搬送装置は、内部にシートの搬送路を有し、上記搬送路の一部を外部に露出可能な開口部を第１側面に有する筐体と、上記筐体の下部に設けられた軸体と、上記軸体が挿入される長孔を有しており、上記軸体を中心として、上記開口部を塞ぐ起立位置、及び上記開口部を開放する倒伏位置に回動可能なカバー部材と、上記筐体に設けられており、上記起立位置から上記倒伏位置へ回動する上記カバー部材と当接する当接面を有し、回動を規制する規制部材と、を備えている。上記当接面は、一端が当該一端よりも上記搬送路に近い他端より下方に位置するように水平方向に対して傾斜しており、上記長孔は、上記カバー部材が上記当接面に当接した状態において、当該カバー部材の回動先端部が上記開口部から離れる向きへ上記カバー部材が移動することを許容するものである。
【０００９】
本構成によれば、カバー部材が起立位置から倒伏位置へ回動すると、カバー部材は規制部材の当接面に当接する。この場合、長孔と軸体の関係により、カバー部材は、カバー部材の回動先端部が開口部から離れる向きに、当接面の傾斜に沿って移動する。これにより、カバー部材は、筐体が載置された載置面に直接的に衝突することがない。また、カバー部材が、開口部から離れる方向に移動するために、開口部を介して搬送路に詰まったシートを除去する際に、カバー部材が紙詰まり処理の作業を妨げることが抑制される。
【００１０】
(2)  好ましくは、上記規制部材は、上記筐体から突出しており、上記筐体が載置された載置面と当接するものである。本構成によれば、規制部材が載置面上に支持されるために、規制部材が安定し、起立位置から倒伏位置へ回動されるカバー部材が規制部材に当接することによる規制部材の変形、破損等を抑制できる。
【００１１】
(3)  好ましくは、上記筐体は、上記軸体の軸方向において離間されて相互に対向する第２側面及び第３側面を有しており、上記軸体及び上記規制部材は、上記第２側面及び上記第３側面のそれぞれの下部に設けられている。本構成によれば、カバー部材は、第２側面及び第３側面にそれぞれ設けられた規制部材に当接することにより、規制部材に対するカバー部材の衝撃が分散される。また、カバー部材は、第２側面及び第３側面のそれぞれに沿った状態で、各規制部材に当接される。これにより、カバー部材に捻れるような力が作用することが抑制され、カバー部材の破損をさらに抑制できる。
【００１２】
(4)  好ましくは、上記カバー部材は、上記搬送路においてシートをガイドするガイド面と、上記筐体の外面を構成する外面と、当該外面から突出しており上記規制部材の当接面に当接可能な突部と、を有する。これにより、搬送路をカバー部材によって画定することができるために、装置の小型化が可能である。また、カバー部材が規制部材に当接する際の衝撃が、カバー部材の突部によって吸収されるために、カバー部材の破損を抑制できる。さらに、カバー部材の突部によって、起立位置から倒伏位置に回動したカバー部材の回動先端部が開口部から離れる向きに移動する際の速度、軸体の高さ等の調整が容易になる。
【００１３】
(5)  好ましくは、上記長孔は、上記カバー部材が上記起立位置である状態において、上記軸体から上記回動先端部へ向かう方向に沿って長い。本構成により、起立位置から倒伏位置に回動したカバー部材を、当該カバー部材の回動先端部が開口部から離れる向きに円滑に移動させることができる。
【００１４】
(6)  好ましくは、上記筐体は、上記起立位置にある上記カバー部材と係合して当該カバー部材を上下方向に位置決めする位置決め部を有する。本構成によれば、位置決め部によって、カバー部材が安定的に起立位置に支持される。
【００１５】
(7)  好ましくは、上記筐体は、上記カバー部材が上記倒伏位置から上記起立位置へ回動される過程において、上記位置決め部と係合する上記カバー部材の係合部を上記位置決め部へ向かって上方へ案内する第１案内面を有する。本構成により、カバー部材は第１案内面により円滑に倒伏位置から起立位置へ回動されるために、位置決め部によるカバー部材の位置決めが容易になる。
【００１６】
(8)  好ましくは、上記カバー部材の回動先端部は、上記カバー部材が上記倒伏位置から上記起立位置へ回動される過程において、上記筐体の上記開口部の上縁を区画する縁部と当接して、当該カバー部材を下方へ案内する第２案内面を有する。本構成により、カバー部材は、第２案内面により円滑に倒伏位置から起立位置へ回動されるために、位置決め部によるカバー部材の位置決めが容易になる。
【００１７】
(9)  本発明の画像記録装置は、上記シート搬送装置と、上記筐体の内部において上記搬送路を搬送されるシートに画像を記録する記録部と、備える。
【発明の効果】
【００１８】
本発明によれば、カバー部材が起立位置から倒伏位置へ回動する際に大きな衝撃音が生じること、及び、カバー部材が破損することを抑制できる。
【図面の簡単な説明】
【００１９】
【図１】図１は、複合機１０の斜視図である。
【図２】図２（Ａ）は、カバー部材８０が取り除かれた状態の複合機１０の後端部６０Ｓの斜視図である。図２（Ｂ）は、カバー部材８０を起立位置から倒伏位置に向かって僅かに回動した状態の複合機１０の後端部６０Ｓの斜視図である。
【図３】図３は、カバー部材８０が起立位置にある状態の筐体６０における後端部６０Ｓの縦断面図である。
【図４】図４は、筐体６０の後端部６０Ｓ内の構成を説明するための模式図である。
【図５】図５は、起立位置にあるカバー部材８０を前方から見た斜視図である。
【図６】図６は、起立位置にあるカバー部材８０を後方から見た斜視図である。
【図７】図７は、起立位置にあるカバー部材８０の縦断面図である。
【図８】図８は、起立位置からカバー部材８０が後方に回動された状態における筐体６０の後端部６０Ｓの縦断面図である。
【図９】図９は、起立位置から倒伏位置にカバー部材８０回動された状態における筐体６０の後端部の縦断面図である。
【図１０】図１０は、倒伏位置に回動されたカバー部材８０が後方にスライドした状態における筐体６０の後端部６０Ｓの縦断面図である。
【発明を実施するための形態】
【００２０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００２１】
［複合機１０の全体構成］
図１に示される複合機１０（画像記録装置の一例）は、シート搬送装置を備えており、プリント機能、ファクシミリ機能、コピー機能等の各種の機能を有する。プリント機能は、記録紙１２（シートの一例、図２参照）に画像を記録する機能である。
【００２２】
なお、複合機１０が使用可能に設置された図１の状態を基準として、複合機１０における上下方向４と、前後方向６と、左右方向８とが、それぞれ、図１に示されるように定義される。上下方向４は、重力が作用する上下方向に対応している。また、以下においては、左右方向８を「幅方向８」と称する。
【００２３】
図１に示されるように、複合機１０は、概ね直方体に形成された筐体６０を有する。筐体６０は、複合機１０の外形を構成する。筐体６０の内部には、第１給送トレイ６１及び第２給送トレイ６２が設けられている。第１給送トレイ６１は第２給送トレイ６２の上方に配置されている。
【００２４】
筐体６０の前面６０Ａには、第１開口部６０Ｂが形成されている。筐体６０内に設けられた第１給送トレイ６１は、第１開口部６０Ｂを通じて、前方へ引き出し可能である。筐体６０の前面６０Ａには、第１開口部６０Ｂの下方に第２開口部６０Ｃが形成されている。筐体６０内に設けられた第２給送トレイ６２は、第２開口部６０Ｃを通じて、前方へ引き出し可能である。
【００２５】
図２（Ａ）に示されるように、筐体６０の後端部６０Ｓにおける幅方向８の中央部には凹部６０Ｍが形成されている。なお、凹部６０Ｍ内には、図２（Ｂ）に示されるように、カバー部材８０が配置されているが、図２（Ａ）においては、カバー部材８０は省略されている。カバー部材８０は、通常は、上下方向４に沿った状態になっているが、図２（Ｂ）においては、後方にわずかに回動された状態で示されている。
【００２６】
凹部６０Ｍは、筐体６０における幅方向８の中央部において、筐体６０の後面よりも前方に凹んでいる。凹部６０Ｍは、上下方向４に延びており、上方、下方、後方のそれぞれは区画されていない。凹部６０Ｍの前方には、凹部６０Ｍの前端を区画する第１側面６０Ｄ及びカバー部材８０が設けられている。また、筐体６０には、凹部６０Ｍにおける右端を区画する第２側面６０Ｆと、左端を区画する第３側面６０Ｇとが設けられている。第２側面６０Ｆ及び第３側面６０Ｇは、前後方向６且つ上下方向４に沿った平面であり、幅方向８において隔てられて相互に対向している。
【００２７】
第１側面６０Ｄは、第２側面６０Ｆ及び第３側面６０Ｇの上部間に、幅方向８に沿って配置されている。第１側面６０Ｄの下部には背面開口部６０Ｅが設けられており、背面開口部６０Ｅは、凹部６０Ｍの前方を区画するカバー部材８０によって塞がれている。背面開口部６０Ｅの右縁及び左縁は、それぞれ、第２側面６０Ｆ及び第３側面６０Ｇによって区画されている。背面開口部６０Ｅの上縁は、第１側面６０Ｄの下縁部６０Ｈによって区画されている。背面開口部６０Ｅの下方は区画されていない。
【００２８】
筐体６０における第２側面６０Ｆ及び第３側面６０Ｇのそれぞれの下部には、凹部６０Ｍの内部に向かって幅方向８に沿って突出する軸体６６が設けられている。第３側面６０Ｇの下部にも、幅方向８に沿って突出する軸体６６（図４参照）が設けられている。各軸体６６はピンであり、それぞれの軸線が同一の仮想直線上に位置している。各軸体６６は、背面開口部６０Ｅを開閉するカバー部材８０の下部を支持する。
【００２９】
図３に示されるように、カバー部材８０が上下方向４に沿った起立位置になると、背面開口部６０Ｅを塞ぐ状態になる。カバー部材８０は、軸体６６を中心として、上縁が後方且つ下方に回動されると、背面開口部６０Ｅを開放した倒伏位置（図９及び図１０参照）になる。カバー部材８０が倒伏位置になると、筐体６０の内部は、背面開口部６０Ｅを通して外部に露出される。カバー部材８０の構成については後述される。
【００３０】
図２（Ａ）及び図２（Ｂ）に示されるように、第２側面６０Ｆの下端部には、軸体６６に対して後方に間隔を空けた位置に規制部材６７が設けられている。規制部材６７は、カバー部材８０が起立位置から倒伏位置に回動する際に当接する。第３側面６０Ｇの下端部にも規制部材６７（図３参照）が設けられている。
【００３１】
第２側面６０Ｆに設けられた規制部材６７は、第２側面６０Ｆに設けられた軸体６６から後方に離れた位置に設けられている。第３側面６０Ｇに設けられた規制部材６７は、第３側面６０Ｆに設けられた軸体６６から後方に離れた位置に設けられている。各軸体６６と、その後方に配置された規制部材６７とは、前後方向６に沿った同一線上に位置している。各規制部材６７は、同様の構成であり、それぞれが、第２側面６０Ｆ及び第３側面６０Ｇにおける同じ高さ位置に配置されている。
【００３２】
規制部材６７は、前後方向６に離れて配置された２つの脚部６７Ａと、各脚部６７Ａの上端部間にわたって設けられた当接面６７Ｂとを有する。各脚部６７Ａは上下方向４に沿って配置されている。当接面６７Ｂは、背面開口部６０Ｅから遠い一端が、当該一端よりも背面開口部６０Ｅに近い他端より下方に位置するように水平方向に対して傾斜している。各脚部６７Ａの下端は筐体６０から下方に突出しており、筐体６０が載置される載置面４９（図３参照）に当接している。
【００３３】
図２（Ａ）に示されるように、第２側面６０Ｆの上部には、上下方向４に沿って延びる当接板６０Ｘが設けられている。当接板６０Ｘは、第２側面６０Ｆにおける上縁の近傍から、第２側面６０Ｆにおける上下方向４の中程にわたって延出されている。当接板６０Ｘの前後方向６に沿った長さは、上下方向４に沿った長さよりも短い。当接板６０Ｘにおける第３側面６０Ｇに対向する表面６０Ｙは、後縁より前縁の方が第３側面６０Ｇに接近するように、第２側面６０Ｆに対して傾斜している。
【００３４】
当接板６０Ｘにおいて、表面６０Ｙにおける前縁には、前方になるにつれて第２側面６０Ｆに接近するように傾斜した傾斜面６０Ｕが上下方向４に沿って設けられている。当接板６０Ｘにおける表面６０Ｙと傾斜面６０Ｕとの間が、上下方向４に沿って突出した係合縁６０Ｗに構成されている。当接板６０Ｘは、カバー部材８０を起立位置においてカバー部材８０が倒伏位置に回動することを規制する。
【００３５】
第３側面６０Ｇにも、上記当接板６０Ｘと同様の構成の当接板６０Ｘ（図９参照）が設けられている。
【００３６】
図２（Ａ）に示されるように、筐体６０の内部には、後述するカバー部材８０の係合部８１Ｎ（図３参照）と係合して、カバー部材８０を起立位置に位置決めする位置決め部６８が設けられている。位置決め部６８は、第２側面６０Ｆの前方に位置する筐体６０の内面６０Ｚの上部に設けられている。位置決め部６８は円柱形状であり、幅方向８に沿った状態で、筐体６０の内面６０Ｚから右向きに突出している。位置決め部６８は、カバー部材８０を起立位置において位置決めする。
【００３７】
筐体６０の内部には、図３に示されるように、第３側面６０Ｇの前方に位置する筐体６０の内面６０Ｚ（図８参照）の上部に、同様の構成の位置決め部６８が設けられている。
【００３８】
筐体６０の内部には、カバー部材８０が起立位置に回動される際に、カバー部材８０を案内する部材が設けられているが、その構成については、カバー部材８０の構成とともに後述される。
【００３９】
図４に示されるように、筐体６０の内部に設けられた第１給送トレイ６１及び第２給送トレイ６２には、複数枚の記録紙１２が、上下方向４に積み重ねられた状態で収容される。第１給送トレイ６１内の記録紙１２は、第１給送トレイ６１の底面６１Ａに支持される。第２給送トレイ６２内の記録紙１２は、第２給送トレイ６２の底面６２Ａに支持される。
【００４０】
第１給送トレイ６１の上方には、第１給送部６３が設けられている。第１給送部６３は、第１給送トレイ６１におけるカバー部材８０に近接した位置に配置された第１給送ローラ６３Ａを有する。第１給送ローラ６３Ａは、軸線が幅方向８に沿った状態で、第１支持アーム６３Ｂの一端部（先端部）に回転可能に支持されている。第１支持アーム６３Ｂの他端部（基端部）は、第１給送ローラ６３Ａの軸線に平行に配置された第１支持軸６３Ｃに回動可能に支持されている。第１支持アーム６３Ｂは、第１支持軸６３Ｃから後方かつ下方に向かって延出されている。
【００４１】
第１給送ローラ６３Ａが記録紙１２の上方に位置された状態で、第１支持アーム６３Ｂの先端部が、第１支持軸６３Ｃを中心として下方に回動されると、第１給送ローラ６３Ａは、第１給送トレイ６１内に収容された最上部の記録紙１２に当接する。このような状態で第１給送ローラ６３Ａが回転されると、複数枚の記録紙１２のうち第１給送ローラ６３Ａと当接している最上位置の記録紙１２が後方へ繰り出される。本実施形態では、第１給送トレイ６１から繰り出される記録紙１２は、記録紙１２における幅方向８に沿った側縁の中央位置が、後述の第１搬送路５１における幅方向８の中央線ＣＬに沿った状態（図５に模式的に示される）で搬送される。このような記録紙１２の搬送は、「中央基準」と称される。
【００４２】
第１給送トレイ６１の後方には、第１ガイド体７１が設けられている。第１ガイド体７１は、前方を向く第１ガイド面７１Ａを有する。第１ガイド面７１Ａは、前端より後端が上方に位置するように傾斜している。第１給送部６３によって繰り出される記録紙１２は、第１ガイド面７１Ａによって後方且つ上方へ案内される。
【００４３】
第２給送トレイ６２の上方には、第２給送部６４が設けられている。第２給送部６４は、第２給送トレイ６２の上方に配置されていること以外は、第１給送部６３と同様の構成である。すなわち、第２給送部６４は、第２給送ローラ６４Ａと、第２支持アーム６４Ｂとを有し、第２支持アーム６４Ｂが第２支持軸６４Ｃに回動可能に支持されている。第２支持アーム６４Ｂは、第２支持軸６４Ｃから後方かつ下方に向かって延出されている。
【００４４】
第１ガイド体７１の上方には、第１ガイド体７１によって案内された記録紙１２が搬送される第１搬送路５１が設けられている。第１搬送路５１は、第１ガイド体７１の上端から上方へ向かって延び、さらに後方に突出した湾曲状態になっている。第１搬送路５１の上部における湾曲部分を第１湾曲路５１Ａと称する。第１ガイド体７１によって案内される記録紙１２は、第１搬送路５１の下部においては上方へ搬送され、その後、第１湾曲路５１Ａにおいて前方へ搬送される。
【００４５】
第２給送トレイ６２の後方には、第２ガイド体７２が設けられている。第２ガイド体７２は、前方を向く第２ガイド面７２Ａを有する。第２ガイド面７２Ａは、前端より後端が上方に位置するように傾斜している。第２給送部６４によって繰り出される記録紙１２は、第２ガイド面７２Ａによって後方且つ上方へ案内される。
【００４６】
第２給送トレイ６２の後端部上には、第２給送部６４によって繰り出される記録紙１２が搬送される第２搬送路５２が設けられている。第２搬送路５２は、第１搬送路５１Ａの後方、すなわち湾曲外方に位置する。第２搬送路５２の上端部は、後方に突出するように湾曲した第２湾曲路５２Ａになっている。第２湾曲路５２Ａにおける記録紙１２の搬送向き（以下、単に「搬送向き」とする）の下流端は、第１搬送路５１の第１湾曲路５１Ａにおける搬送向きの下流において第１搬送路５１と接続されている。第２ガイド体７２によって案内される記録紙１２は、第２搬送路５１の下部においては上方へ搬送され、次いで、第２湾曲路５２Ａにおいて前方へ搬送され、その後、第１搬送路５１へ案内される。
【００４７】
第１搬送路５１及び第２搬送路５２のそれぞれの一部を区画する部材は、カバー部材８０に取り付けられている。カバー部材８０が倒伏位置になると、第１搬送路５１が背面開口部６０Ｅを介して外部に露出される。前述したように、規制部材６７の当接面６７Ｂは、背面開口部６０Ｅから遠い一端が、当該一端よりも背面開口部６０Ｅに近い他端より下方に位置するように水平方向に対して傾斜している。すなわち、第１搬送路５１から遠い一端が、当該一端よりも第１搬送路５１に近い他端より下方に位置するように水平方向に対して傾斜している。
【００４８】
第１搬送路５１及び第２搬送路５２の下流端は、筐体６０内を前後方向６に沿って延びる上部搬送路５３と連続している。上部搬送路５３においては、第１搬送路５１及び第２搬送路５２のそれぞれを搬送された記録紙１２が前方へ搬送される。
【００４９】
上部搬送路５３には、搬送向き４１に沿って、第１搬送ローラ部２１、プラテン２２及び記録部３０、第２搬送ローラ部２３、フラップ２５、スイッチバックローラ部２６、並びに排出トレイ２７が配置されている。
【００５０】
記録紙１２を前方へ搬送する第１搬送ローラ部２１は、軸線が幅方向８に沿って配置された第１搬送ローラ２１Ａと、第１搬送ローラ２１Ａの下方に配置された複数のピンチローラ２１Ｂとを有する。
【００５１】
第１搬送ローラ２１Ａは、第１搬送路５１又は第２搬送路５２を通過した記録紙１２における上面である第１面に当接可能に配置されている。第１搬送ローラ２１Ａは、上部搬送路５３における幅方向８のほぼ全域に亘る長さを有する。複数のピンチローラ２１Ｂは、幅方向８に一定の間隔が空けられた状態で、それぞれが第１搬送ローラ２１Ａに接した状態で設けられている。このような第１搬送ローラ部２１は、第１搬送ローラ２１Ａが回転されると、第１搬送ローラ２１Ａに接した各ピンチローラ２１Ｂが第１搬送ローラ２１Ａの回転に追従して回転する。
【００５２】
プラテン２２は、第１搬送ローラ部２１によって搬送される記録紙１２を、前後方向６及び幅方向８に沿った状態で下方から支持する。記録部３０は、インクジェット方式で、プラテン２２に支持された記録紙１２に画像を記録する。画像が記録されるときには、第１搬送ローラ部２１の回転が停止されて、記録紙１２はプラテン２２上に停止する。そして、停止した記録紙１２に対して記録部３０がインクを選択的に吐出することによって、１パス分の画像が記録紙１２に記録される。その後、第１搬送ローラ部２１が回転されることによって、記録紙１２が次の１パス分だけ搬送向き４１へ搬送されると、第１搬送ローラ部２１が停止されて記録紙１２が停止する。このとき、記録部３０は、記録紙１２において、先に画像記録を行ったパスより搬送向き４１の上流に位置する。これが繰り返されることによって、記録紙１２の全体に亘って画像記録が行われる。
【００５３】
第２搬送ローラ部２３は、プラテン２２に支持された記録紙１２を前方へ搬送する。第２搬送ローラ部２３は、プラテン２２より前方に位置する。第２搬送ローラ部２３は、軸線が幅方向８に沿って配置された第２ローラ軸２３Ｂと、第２ローラ軸２３Ｂに取り付けられた複数の第２搬送ローラ２３Ａと、第２搬送ローラ２３Ａの上方に配置された複数の第１拍車ローラ２３Ｃとを有する。
【００５４】
第２ローラ軸２３Ｂが回転されると、第２搬送ローラ２３Ａのそれぞれが、第２ローラ軸２３Ｂと一体に回転する。第１拍車ローラ２３Ｃのそれぞれは、第２搬送ローラ２３Ａの回転に追従して回転する。プラテン２２上の記録紙１２が、回転状態の第２搬送ローラ２３Ａ及び第１拍車ローラ２３Ｃの間に搬送されると、記録紙１２は、第２搬送ローラ２３Ａ及び第１拍車ローラ２３Ｃに挟持されて前向きに搬送される。
【００５５】
第２搬送ローラ部２３より前方には、スイッチバックローラ部２６が配置されている。スイッチバックローラ部２６は、軸線が幅方向８に沿って配置された第３ローラ軸２６Ｂと、第３ローラ軸２６Ｂに幅方向８に沿って取り付けられた複数のスイッチバックローラ２６Ａと、各スイッチバックローラ２６Ａの上方に配置された複数の第２拍車ローラ２６Ｃとを有する。
【００５６】
スイッチバックローラ部２６は、上部搬送路５３を前方に搬送される記録紙１２を、さらに前方に搬送する状態と、後方に搬送する状態とに切り換えることができる。第３ローラ軸２６Ｂは、正逆回転可能である。スイッチバックローラ２６Ａのそれぞれが、第３ローラ軸２６Ｂと一体となって正転又は逆転されると、第２拍車ローラ２６Ｃのそれぞれは、スイッチバックローラ２６Ａの回転に追従して回転する。
【００５７】
上部搬送路５３における第２搬送ローラ部２３とスイッチバックローラ部２６との間には、第３搬送路５４が接続されている。第３搬送路５４は、第１面に画像が記録された記録紙１２を、第１搬送路５１へ再搬送させるためのものである。
【００５８】
第３搬送路５４は、スイッチバックローラ部２６の後方から、第１搬送路５１における記録部３０より搬送向き４１の上流へ延びる搬送ガイド２８によって区画されている。搬送ガイド２８は、ガイド面となる上面が、スイッチバックローラ部２６から後方へ向かって下方に下がるように傾斜している。搬送ガイド２８は、プラテン２２の下方に位置する。
【００５９】
上部搬送路５３において、第２搬送ローラ部２３とスイッチバックローラ部２６との間には、フラップ２５が配置されている。フラップ２５は、上部搬送路５３の上方に位置している。フラップ２５は、回動軸２５Ａから前方へ向かって延出されており、回動軸２５Ａ周りに回動可能である。フラップ２５は、回動先端部分が上部搬送路５３に進入した位置において、上部搬送路５３を搬送向き４１へ搬送される記録紙１２の先端と当接する。このとき、フラップ２５は記録紙１２によって回動先端部分が上方へ回動される。したがって、記録紙１２は、フラップ２５の下方を搬送向き４１へ搬送されてスイッチバックローラ部２６へ至る。他方、スイッチバックローラ部２６によって搬送向き４１と逆向き４２へ搬送される記録紙１２は、上部搬送路５３に進入しているフラップ２５の回動先端部分と当接する。フラップ２５の回動先端部分の下面により、記録紙１２は、第３搬送路５４へ案内される。
【００６０】
筐体６０には、上部搬送路５３の下流端の下方から前方に延出された排出トレイ２７が設けられている。排出トレイ２７は、第１給送トレイ６１の上方に位置する。第１面及び第１面とは逆の第２面の両方又は第１面に画像が記録された記録紙１２は、スイッチバックローラ部２６を搬送向き４１へ通過することにより、排出トレイ２７に排出される。排出トレイ２７は、複数枚の記録紙１２を積載状態で支持可能である。
【００６１】
［カバー部材８０］
図２（Ｂ）に示されるように、カバー部材８０は、第１側面６０Ｄの背面開口部６０Ｅを覆うカバー本体部８１を有する。図７に示されるように、カバー本体部８１には、第１搬送路５１及び第２搬送路５２を区画する部材である第１樹脂部材８２及び第２樹脂部材８３が取り付けられている。また、第１樹脂部材８２と第２樹脂部材８３との間に、金属フレーム８４が設けられている。
【００６２】
なお、以下のカバー部材８０の各構成の説明では、特に記載がない限り、カバー部材８０が、背面開口部６０Ｅを塞ぐ起立位置になった状態（図３に示される状態）であるとして、定義された各方向（上下方向４、前後方向６、左右方向８）に基づいて説明される。
【００６３】
［カバー本体部８１］
図５及び図６に示されるように、カバー部材８０は、概ね板形状の基部８１Ａと、基部８１Ａにおける右端及び左端にそれぞれ設けられた第１側部８１Ｂ及び第２側部８１Ｃとを有する。基部８１Ａは、背面開口部６０Ｅを塞ぐ大きさの矩形の平板状である。基部８１Ａにおける背面８１Ｄ（図６参照）は、筐体６０の外面を構成している。図６に示されるように、基部８１Ａの下端部には、前方に突出した底面８１Ｈが設けられている。
【００６４】
基部８１Ａにおける幅方向８及び上下方向４の中央部には、操作凹部８１Ｒが設けられている。操作凹部８１Ｒは、カバー部材８０を開閉操作する作業者の手が挿入されるために設けられている。
【００６５】
第１側部８１Ｂ及び第２側部８１Ｃは、それぞれ板形状であり、下部を除いて、概ね長方形状になっている。第１側部８１Ｂ及び第２側部８１Ｃは、筐体６０における凹部６０Ｍの第２側面６０Ｆ及び第３側面６０Ｇに沿って配置されている。第１側部８１Ｂ及び第２側部８１Ｃのそれぞれの下部は、下方になるにつれて前後方向６の長さが短くなった形状になっており、第１側部８１Ｂ及び第２側部８１Ｃのそれぞれの最下部には下方に突出する突出部８１Ｔが設けられており、突出部８１Ｔに長孔８１Ｇが設けられている。
【００６６】
第１側部８１Ｂと第２側部８１Ｃは、カバー部材８０が起立位置の場合に、基部８１Ａにおける幅方向８の両端よりも前方に位置する側部本体８１Ｅと、後方に位置する突部８１Ｆとを有する。図６に示されるように、基部８１Ａは、カバー部材８０が起立位置にある場合には、上端が下端よりも後方に位置するように傾斜した状態になる。
【００６７】
各側部本体８１Ｅは、カバー部材８０が起立位置にある場合に、前端の上部及び下部にそれぞれ位置する上部前端面８１Ｐ及び下部前端面８１Ｍを有する。上部前端面８１Ｐ及び下部前端面８１Ｍは、カバー部材８０が起立位置である場合に、それぞれ上下方向４に沿った状態になっているが、上部前端面８１Ｐが下部前端面８１Ｍよりも前方に位置している。上部前端面８１Ｐ及び下部前端面８１Ｍは、幅方向８に沿った長さが、上下方向４に沿って一定になっている。
【００６８】
図５及び図６に示されるように、上部前端面８１Ｐの上部には、係合部８１Ｎが設けられている。当該係合部８１Ｎは、上部前端面８１Ｐから後方に凹む開口形状である。
【００６９】
上部前端面８１Ｐの下部には、第１案内面８１Ｑが連続して設けられている。第１案内面８１Ｑは、上部前端面８１Ｐとは幅方向８に沿った長さが同じであり、上部前端面８１Ｐに対して下方且つ後方に傾斜している。第１案内面８１Ｑにおける傾斜方向に沿った長さは、上部前端面８１Ｐにおける上下方向４に沿った長さよりも短い。
【００７０】
第１案内面８１Ｑの下端には、下方に向けられた摺接面８１Ｕが連続して設けられている。摺接面８１Ｕは、第１案内面８１Ｑの下端から後方に延出されている。摺接面８１Ｕの後端には、上述の下部前端面８１Ｍが連続して設けられている。下部前端面８１Ｍの下端には、突出部８１Ｔの前縁が連続している。
【００７１】
また、図３及び図９に示されるように、筐体６０の凹部６０Ｍにおける第３側面６０Ｇに対して前方に連続する筐体６０の内面６０Ｚには、支持部６９Ｅが設けられている。支持部６９Ｅは、幅方向８に沿って配置されたフレーム６９の一部である。フレーム６９は、背面開口部６０Ｅに対向する後面６９Ｂと、後面６９Ｂの上端から前方に連続する支持面６９Ａとを有する。
【００７２】
後面６９Ｂは、幅方向８及び上下方向４に広がる板状である。支持面６９Ａは、幅方向８及び前後方向６に広がる板状であり、上方に向けられている。後面６９Ｂと支持面６９Ａとの間には屈曲部６９Ｃが設けられている。
【００７３】
支持部６９Ｅは、フレーム６９における幅方向８の両端における支持面６９Ａと、後面６９Ｂと、屈曲部６９Ｃとによって形成されている。
【００７４】
各側部本体８１Ｅの最下部に設けられた突出部８１Ｔには、幅方向８に貫通する長孔８１Ｇが設けられている。長孔８１Ｇは、一方向に沿って延びており、長孔８１Ｇの長くなった方向（以下、「長手方向４３」とする）は、軸体６６からカバー部材８０の回動先端部へ向かう方向に沿っている。カバー部材８０が起立位置にあると、長孔８１Ｇの長手方向４３は、上下方向４に沿った状態になる。
【００７５】
長孔８１Ｇには、筐体６０の第２側面６０Ｆ及び第３側面６０Ｇのそれぞれに設けられた各軸体６６が挿通している（図３参照）。長孔８１Ｇが設けられた第１側部８１Ｂ及び第２側部８１Ｃは軸体６６に対して回動可能であり、軸体６６は、長孔８１Ｇに対して長手方向４３に沿ってスライド可能である。
【００７６】
図６に示されるように、第１側部８１Ｂ及び第２側部８１Ｃのそれぞれに設けられた各突部８１Ｆは、概ね三角形状である。突部８１Ｆにおける後端縁の上部は、基部８１Ａに対して傾斜した第１傾斜面８１Ｊになっており、下部は、基部８１Ａに対する傾斜方向が第１傾斜面８１Ｊとは反対になった第２傾斜面８１Ｋになっている。第１傾斜面８１Ｊは、基部８１Ａから後方への突出長さが上端よりも下端において長くなるように、基部８１Ａに対して傾斜している。第２傾斜面８１Ｋは、基部８１Ａから後方への突出長さが上端よりも下端において短くなるように、基部８１Ａに対して傾斜している。
【００７７】
カバー部材８０が倒伏位置にある場合、各突部８１Ｆにおける第２傾斜面８１Ｋが、筐体６０に設けられた各規制部材６７の当接面６７Ｂに当接する。当接面６７Ｂは、各突部８１Ｆにおける第２傾斜面８１Ｋに当接した状態で第２傾斜面８１Ｋに平行になるように、傾斜角度が設定されている。
【００７８】
図６に示されるように、第２側部８１Ｃの上部には、板バネ部８５が設けられている。板バネ部８５は、第２側部８１Ｃの上部における前後方向６の中央部から下方に向かう切れ込み８５Ａと、この切れ込み８５Ａにおける下端から後方に延出する切れ込み８５Ｂとによって形成されている。板バネ部８５における幅方向８の外方に向けられた面８５Ｃには左方に突出する突起部８５Ｄが設けられている。
【００７９】
板バネ部８５は、前縁が幅方向８に移動可能であり、突起部８５Ｄは、筐体６０の凹部６０Ｍにおける第３側面６０Ｇに設けられた当接板６０Ｘに当接可能になっている。突起部８５Ｄが当接板６０Ｘの表面６０Ｙに当接すると、板バネ部８５は、幅方向８の中央部に接近するように弾性変形し、板バネ部８５が当接板６０Ｘの表面６０Ｙに圧接される。突起部８５Ｄが係合縁６０Ｗを越えて当接板６０Ｘの傾斜面６０Ｕに当接されると、突起部８５Ｄが係合縁６０Ｗに係合する。
【００８０】
第１側部８１Ｂの上部にも同様の構成の板バネ部８５が設けられており、当該板バネ部８５の突起部８５Ｄが、筐体６０の凹部６０Ｍにおける第３側面６０Ｇに設けられた当接板６０Ｘの表面６０Ｙ及び傾斜面６０Ｕに当接可能であり、突起部８５Ｄが、係合縁６０Ｗを越えて傾斜面６０Ｕに当接されると、係合縁６０Ｗに係合する。
【００８１】
図５に示されるように、第１側部８１Ｂ及び第２側部８１Ｃのそれぞれにおける側部本体８１Ｅは、それぞれの前端部に設けられた連結部８１Ｓによって上端部同士が連結されている。
【００８２】
図５に示されるように、カバー本体部８１における基部８１Ａの前面８１Ｖには、複数の第１リブ８１Ｗが設けられている。各第１リブ８１Ｗは、基部８１Ａにおける上下方向４の全域にわたって、上下方向４に沿った状態で幅方向８に間隔を空けて配置されている。各第１リブ８１Ｗにおける基部８１Ａから突出した先端面８１Ｚは、カバー部材８０が起立位置にある場合に、上部を除いて、概ね上下方向４に沿った仮想平面４４上に位置する。この仮想平面４４に位置する各第１リブ８１Ｗの先端面８１Ｚが、第２搬送路５２を搬送される記録紙１２のガイド面になる。
【００８３】
各第１リブ８１Ｗの上部における先端面８１Ｚは、第２搬送路５１の湾曲路５２Ａに対応した仮想湾曲面上に位置する。各第１リブ８１Ｗの先端面８１Ｚは、第２搬送路５２を搬送される記録紙１２を案内するガイド面を構成しており、このガイド面により、第２搬送路５２の後方及び上方が区画されている。
【００８４】
カバー本体部８１の上端部及び前端部に配置された連結部８１Ｓと、基部８１Ａの上端部との間には、それぞれが前後方向６に沿って延びる複数の第２リブ８１Ｘが設けられている。第２リブ８１Ｘは、幅方向８に間隔を空けて配置されている。各第２リブ８１Ｘの上縁は、カバー部材８０の上縁を形成している。幅方向８の中央部に設けられた複数の第２リブ８１Ｘ以外の各第２リブ８１Ｘは、連結部８１Ｓから離れるにつれて上方に位置するように傾斜した上端面８１Ｙを有する。当該上端面８１Ｙは、同一の仮想平面上に位置しており、全ての上端面８１Ｙは、カバー部材８０が起立位置に回動する際に、筐体６０に対してカバー部材８０の回動先端部を案内する案内面（第２案内面の一例）を構成している。
【００８５】
第２リブ８１Ｘの上端面８１Ｙは、カバー部材８０が倒伏位置から起立位置へ回動される際に、図２（Ｂ）に示される第１側面６０Ｄの下縁部６０Ｈに案内される。これにより、カバー部材８０の回動先端部は、背面開口部６０Ｅ内に円滑に案内されて、カバー部材８０は、起立位置に円滑に回動される。
【００８６】
カバー本体部８１は、樹脂によって一体に成型されている。本実施形態では、カバー本体部８１は、ポリスチレン（ＰＳ）によって成型されている。
【００８７】
図７に示されるように、カバー本体部８１には、上下方向４に沿った第１樹脂部材８２が取り付けられている。第１樹脂部材８２は、カバー本体部８１の前方に間隔を空けた状態で配置されており、第１樹脂部材８２の後面が、第２搬送路５２の前方を区画し、第２樹脂部材８３の前面が、第１搬送路５１の後方を区画する。
【００８８】
このようなカバー部材８０が倒伏位置になると、第１搬送路５１が背面開口部６０Ｅを介して外部に露出される。
【００８９】
［カバー部材８０の作用］
このような構成のカバー部材８０は、起立位置においては、図３に示されるように、第１側部８１Ｂ及び第２側部８１Ｃの前端部にそれぞれ設けられた係合部８１Ｎが、位置決め部６８に係合している。また、カバー部材８０における第１側部８１Ｂ及び第２側部８１Ｃの前端部にそれぞれ設けられた摺接面８１Ｕが、筐体６０に設けられた支持部６９Ｅの支持面６９Ａ上に位置している。
【００９０】
さらに、カバー部材８０における第１側部８１Ｂ及び第２側部８１Ｃの上部に設けられた板バネ部８５の突起部８５Ｄが、筐体６０の凹部６０Ｍにおける第２側面６０Ｆ及び第３側面６０Ｇのそれぞれに設けられた当接板６０Ｘにおける傾斜面６０Ｕに圧接された状態であり、当接板６０Ｘにおける表面６０Ｙと傾斜面６０Ｕとによって構成された係合縁６０Ｗに係合している。
【００９１】
以上により、カバー部材８０は、安定的に起立位置に支持される。
【００９２】
この場合、カバー部材８０の第１側部８１Ｂ及び第２側部８１Ｃにおける下部に設けられた長孔８１Ｇは上下方向４に沿った状態になっており、カバー部材８０を支持する軸体６６は、長孔８１Ｇにおける下端部から少し上方に位置している。
【００９３】
このような状態では、筐体６０における背面開口部６０Ｅがカバー部材８０によって塞がれており、カバー部材８０における第２樹脂部材８３の前面によって、第１搬送路５１が区画された状態になる。また、第２搬送路５２における搬送向きの上流部分が、第２給送トレイ６２における後端部上に画定される。これにより、第２給送トレイ６２の後端部に対して第２搬送路５２の上流部分を所定の位置にすることができる。その結果、第２給送トレイ６２の後端部から第２搬送路５２の所定位置へ記録紙１２を安定的に供給することができる。
【００９４】
第１搬送路５１又は第２搬送路５２に紙詰まりが生じた場合等において、背面開口部６０Ｅを開放する必要がある場合には、作業者は、カバー部材８０の操作凹部８１Ｒに手を挿入して、カバー部材８０を後方に引く。これにより、板バネ部８５の突起部８５Ｄと、当接板６０Ｘの表面６０Ｙとの圧接状態が解除されてカバー部材８０の回動先端部は後方に回動される。これにより、図８に示されるように、位置決め部６８に対する係合部８１Ｎの係合が解除される。
【００９５】
このような状態になると、カバー部材８０が、軸体６６に対して下方に移動し、軸体６６は、長孔８１Ｇの上端部（カバー部材８０の回動先端部に近い端部）内に位置される。位置決め部６８に対する係合部８１Ｎの係合が解除されたカバー部材８０は、基部８１Ａが上下方向４に対して上端が下端よりも後方に位置する傾斜状態であることから、自重によって、軸体６６を中心として、回動先端部が下方に向かって回動する。この場合、軸体６６は、長孔８１Ｇ内の位置が変化しないために、カバー部材８０は、長孔８１Ｇにおけるカバー部材８０の回動先端部に近い端部に位置する軸体６６を中心として回動する。これにより、カバー部材８０の回動先端部の軌跡は、一定の半径の円上を通過する。この場合に、回動先端部の軌跡が通過する半径は、軸体６６が長孔８１Ｇの下端に位置する場合に回動先端部が通過する軌跡の半径よりも小さい。
【００９６】
その後、カバー部材８０は、図９に示されるように、第１側部８１Ｂ及び第２側部８１Ｃの突部８１Ｆにおける第２傾斜面８１Ｋが、筐体６０における第２側面６０Ｆ及び第３側面６０Ｇの下端部に設けられた規制部材６７の当接面６７Ｂにそれぞれ当接する。これにより、軸体６６を中心としたカバー部材８０の回動が規制される。上記のように、この場合のカバー部材８０の軌跡における半径が比較的短いために、カバー部材８０は、比較的迅速に規制部材６７の当接面６７Ｂに当接する。
【００９７】
第２傾斜面８１Ｋが規制部材６７の当接面６７Ｂに当接すると、当接面６７Ｂからの反力が第２傾斜面８１Ｋに作用する。このような状態では、カバー部材８０における長孔８１Ｇの長手方向４３は、水平方向に対して、回動先端部に近付くにつれて上方になるように傾斜しており、軸体６６は、長孔８１Ｇにおける回動先端部に近い端部に位置している。これにより、カバー部材８０は、長孔８１Ｇの長手方向４３に沿って、背面開口部６０Ｅから離れる方向に沿って移動可能である。
【００９８】
カバー部材８０の重心位置Ｇ１(適当に記載しています)は、軸体６６に対して規制部材６７の第２傾斜面８１Ｋよりも遠い位置にあるために、当接面６７Ｂには、カバー部材８０の自重により、矢印４６で示す向きにモーメントが作用する。これにより、このモーメントに対する反力が当接面６７Ｂから第２傾斜面８１Ｋに作用する。この反力には、カバー部材８０を、長孔８１Ｇの長手方向４３に沿って、背面開口部６０Ｅから離れる方向に移動させる力が含まれる。この長手方向４３に沿った力により、カバー部材８０は、当接面６７Ｂの傾斜に案内されて、背面開口部６０Ｅから離れる方向へスライドする。
【００９９】
図１０に示されるように、カバー部材８０がスライドすると、軸体６６に対して長孔８１Ｇが長手方向４３に沿ってスライドし、軸体６６は、長孔８１Ｇにおけるカバー部材８０の回動先端部から遠い端部に位置される。この場合、カバー部材８０の突部８１Ｆにおける第２傾斜面８１Ｋと、規制部材６７の当接面６７Ｂとの当接と、カバー部材８０の背面開口部６０Ｅから離れる方向へのスライドとが連続して行われて、カバー部材８０は停止される。これにより、カバー部材８０は倒伏位置において、筐体６０の背面開口部６０Ｅから離れた状態になり、背面開口部６０Ｅが開放される。
【０１００】
カバー部材８０は、倒伏位置へ回動すると、規制部材６７の当接に連続して背面開口部６０Ｅから離れる方向に移動する。この場合、カバー部材８０を倒伏位置へ回動させるエネルギーは、規制部材６７に当接によって生じる衝撃と、カバー部材８０を移動させるエネルギーになる。これにより、カバー部材８０がスライドしない場合よりも、規制部材６７に当接することによって生じる衝撃が緩和される。
【０１０１】
このような状態では、カバー部材８０における突部８１Ｆの第１傾斜面８１Ｊと第２傾斜面８１Ｋとの境界位置が最下部に位置しており、図１０に示されるように、この最下部は、筐体６０が載置された載置面４９に当接しない状態になっている。
【０１０２】
筐体６０の背面開口部６０Ｅが開放されることにより、第１搬送路５１は外部に露出される。これにより、第１搬送路５１又は第２搬送路５２における紙詰まり解消処理等を行うことができる。
【０１０３】
この場合、カバー部材８０は、規制部材６７に当接した後に、背面開口部６０Ｅから離れる方向にスライドしているために、カバー部材８０が背面開口部６０Ｅに対して離れた状態になる。これにより、背面開口部６０Ｅを介しての紙詰まり解消処理等の作業が容易になる。
【０１０４】
図１０に示される倒伏位置のカバー部材８０を起立位置に回動させる場合には、カバー部材８０の回動先端部が上方に持ち上げられる。このとき、カバー部材８０には、前向きの力が作用する。これにより、軸体６６に対して、長孔８１Ｇは、長手方向４３に沿ってスライドする。その結果、軸体６６は、長孔８１Ｇにおけるカバー部材８０の回動先端部に対して遠い端部から、回動先端部に近い端部内に位置される。このような状態で、カバー部材８０の回動先端部が背面開口部６０Ｅに接近するように、カバー部材８０は上方且つ前方に回動される。
【０１０５】
その後、カバー部材８０における第１側部８１Ｂ及び第２側部８１Ｃに設けられた第１案内面８１Ｑが、筐体６０に設けられた支持部６９Ｅの屈曲部６９Ｃに対向した状態になる。
【０１０６】
このような状態で、カバー部材８０の回動先端部が前方に回動されると、カバー部材８０の第１案内面８１Ｑは、筐体６０に設けられた支持部６９Ｅの屈曲部６９Ｃに当接し、第１案内面８１Ｑが屈曲部６９Ｃに摺接する。これにより、カバー部材８０は、回動先端部が前方に回動されつつ上方に持ち上げられる。これにより、カバー部材８０の第１案内面８１Ｑは、筐体６０に設けられた支持部６９Ｅの支持面６９Ａ上に位置される。
【０１０７】
この場合、カバー部材８０の回動先端部に設けられた第２リブ８１Ｘの上端面８１Ｙが、背面開口部６０Ｅの上縁を区画する第１側面６０Ｄの下縁部６０Ｈに摺接する。これにより、第２リブ８１Ｘの上端面８１Ｙが、第１側面６０Ｄの下縁部６０Ｈに案内される。第２リブ８１Ｘの上端面８１Ｙは、後方になるにつれて上方に位置するように傾斜しているために、上端面８１Ｙが第１側面６０Ｄの下縁部６０Ｈに案内されて、カバー部材８０は下方に移動する。この場合、カバー部材８０は上方に持ち上げられた状態になっているために、軸体６６に対する長孔８１Ｇの相対位置が下方に移動し、軸体６６は、長孔８１Ｇにおける下方の端部よりも少し上方に位置される。
【０１０８】
その後、さらに、カバー部材８０の回動先端部が前方に回動されると、カバー部材８０における第１側部８１Ｂ及び第２側部８１Ｃの前端部にそれぞれ設けられた係合部８１Ｎが、筐体６０の位置決め部６８に係合される。この場合、第２リブ８１Ｘの上端面８１Ｙは、第１側面６０Ｄの下縁部６０Ｈから下方に離れた状態になる。これにより、カバー部材８０は起立位置にて位置決めされる。
【０１０９】
このような状態になると、カバー部材８０における第１側部８１Ｂ及び第２側部８１Ｃの上部に設けられた板バネ部８５の突起部８５Ｄが、当接板６０Ｘの表面６０Ｙに摺接した後に、係合縁６０Ｗを越えて傾斜面６０Ｕに当接する。これにより、突起部８５Ｄは、係合縁６０Ｗに係合し、カバー部材８０は、起立位置において安定的に支持される。
【０１１０】
［実施形態の効果］
本実施形態によれば、カバー部材８０が起立位置から倒伏位置へ回動すると、カバー部材８０は規制部材６７の当接面６７Ｂに当接して、カバー部材８０の回動先端部が背面開口部６０Ｅから離れる向きに、当接面６７Ｂの傾斜に沿って移動する。これにより、カバー部材８０は、倒伏位置へ回動される際に、筐体６０が載置された載置面に直接的に衝突することがない。また、カバー部材８０が、背面開口部６０Ｅから離れる方向に移動することにより、カバー部材８０によって紙詰まり処理の作業を妨げることが抑制される。
【０１１１】
規制部材６７は筐体６０から突出しており、筐体６０が載置された載置面と当接している。これにより、規制部材６７が載置面によって安定的に支持される。したがって、起立位置から倒伏位置へ回動されるカバー部材８０が規制部材６７に当接することによる規制部材６７の変形、破損等を抑制できる。
【０１１２】
軸体６６と規制部材６７とは、筐体６０の第２側面６０Ｆ及び第３側面６０Ｇのそれぞれの下部に設けられている。これにより、規制部材に当接する際にカバー部材に生じる衝撃が分散され、カバー部材に大きな衝撃が生じるおそれがない。また、カバー部材８０に対して捻れるような力が作用することが抑制される。
【０１１３】
カバー部材８０は、第１搬送路５１において記録紙１２をガイドするガイド面と、筐体６０の外面を構成する背面８１Ｃと、背面８１Ｃから後方に突出した突部８１Ｆとを有する。これにより、第１搬送路５１をカバー部材８０によって区画できるために、装置の小型化が可能である。また、カバー部材８０が規制部材６７に当接する際の衝撃が、カバー部材８０の突部８１Ｆによって吸収される。さらに、カバー部材８０の突部８１Ｆによって、カバー部材８０が起立位置から倒伏位置へ回動するカバー部材８０の回動先端部が背面開口部６０Ｅから離れる向きに移動する際に、カバー部材８０の速度、軸体６６の高さ等の調整が容易になる。
【０１１４】
長孔８１Ｇは、カバー部材８０が起立位置の状態において、軸体６６から回動先端部へ向かう方向に沿って長い。これにより、起立位置から倒伏位置に回動したカバー部材８０は、カバー部材８０の回動先端部が背面開口部６０Ｅから離れる向きに円滑に移動される。
【０１１５】
筐体６０は、起立位置にあるカバー部材８０と係合してカバー部材８０を上下方向４に位置決めする位置決め部６８を有する。これにより、位置決め部６８によって、カバー部材８０が安定的に起立位置に支持される。
【０１１６】
筐体６０は、カバー部材８０が倒伏位置から起立位置へ回動される過程において、位置決め部６８と係合する係合部８１Ｎが、第１案内面８１Ｑによって位置決め部６８に向かって案内される。これにより、カバー部材８０は倒伏位置から起立位置に回動された場合におけるカバー部材８０の位置決めが容易になる。
【０１１７】
カバー部材８０の回動先端部は、カバー部材８０が倒伏位置から起立位置へ回動される過程において、カバー部材８０を下方へ案内する第２案内面を有する。これにより、位置決め部６８によるカバー部材８０の位置決めがさらに容易になる。
【０１１８】
［変形例］
カバー部材８０は、第２搬送路５２を区画するガイド面が設けられていない構成であってもよい。また、第２搬送路５２を区画するガイド面は、第１リブ８１Ｗの先端面８１Ｚによって形成する構成に限らず、カバー本体部８１の前面によって形成してもよい。
【０１１９】
また、カバー部材８０は、規制部材６７によって背面開口部６０Ｅから離れる向きに移動した場合に、筐体６０が載置される載置面に当接してもよい。この場合にも、カバー部材８０が直接的に載置面に当接しないために、カバー部材８０に加わる衝撃等を軽減できる。
【符号の説明】
【０１２０】
１０・・・複合機（画像記録装置）
１２・・・記録紙（シート）
５１・・・第１搬送路
５２・・・第２搬送路
６０・・・筐体
６０Ｄ・・第１側面
６０Ｅ・・背面開口部
６０Ｆ・・第２側面
６０Ｇ・・第３側面
６０Ｈ・・下縁部
６６・・・軸体
６７・・・規制部材
６７Ｂ・・・当接面
６８・・・位置決め部
８０・・・カバー部材
８１・・・カバー本体
８１Ｄ・・背面（外面）
８１Ｆ・・突部
８１Ｇ・・長孔
８１Ｎ・・係合部
８１Ｑ・・第１案内面
８１Ｚ・・先端面（ガイド面）
【図１】
0006662067.tif 000002
【図２】
0006662067.tif 000003
【図３】
0006662067.tif 000004
【図４】
0006662067.tif 000005
【図５】
0006662067.tif 000006
【図６】
0006662067.tif 000007
【図７】
0006662067.tif 000008
【図８】
0006662067.tif 000009
【図９】
0006662067.tif 000010
【図１０】
0006662067.tif 000011